(57)【特許請求の範囲】
【請求項１】
上部躯体との固定を図る鉄筋を植設した板体と該板体の下に固着される筒体でその上部に圧入用孔が設けられてなる内筒と、
前記内筒と嵌合するとともに下部の杭頭に嵌合する筒体であって、充填物抜き用孔を下部位置に設けてなる外筒と、
前記内筒の内部に前記圧入用孔から伸縮用部材が注入されて伸縮自在な伸縮部材と、
前記内筒と外筒との一部空間部に充填される充填物と、
からなること、
を特徴とする杭頭部減振キャップ。
【請求項２】
充填物が砂であること、
を特徴とする請求項１に記載の杭頭部減振キャップ。
【請求項３】
伸縮部材は、気体若しくは液体が弾性部材で形成された袋体に注入されてなるものであること、若しくは、内筒の内部に直接注入された硬化する液体であること、
を特徴とする請求項１または２に記載の杭頭部減振キャップ。
【発明の詳細な説明】
【技術分野】
【０００１】
本発明は、杭の頭部を保護するとともに建物の振動も減衰させ、地震等で罹災したときには、容易に交換作業ができるようにする杭頭部減振キャップに関するものである。
【背景技術】
【０００２】
従来、杭頭は基礎フーチングに強固に接続すべく、図８に示すように、鉄筋１５などを杭頭１６から突出させて基礎部１７のコンクリートと一体にする等している。また、杭頭に免震機能を持たせたものがある。更に、配筋等の手間の掛かる作業を低減させるために、例えば、杭頭部に装着するキャップ本体と、このキャップ本体の上に設けたアンカー筋と、キャップ本体の側壁に形成された固定部材挿通孔と、挿通孔と杭頭部に挿通されてキャップ本体を杭に固定するための固定部材とを備えたものが知られている（特許文献１参照）。
【０００３】
【特許文献１】特開平１１−６１８４７号公報
【発明の開示】
【発明が解決しようとする課題】
【０００４】
しかし、従来の杭頭部補強キャップでは、コンクリートの内部にまでアンカー筋を配筋しているので、その構築に手間が掛かり、地震等で罹災した場合には、その解体工事等が困難となる。また、他の従来例にように、杭頭に免震機能を持たせるには、コストが嵩んでしまう。
【０００５】
更に、既存の杭頭部を補強するには、基礎下部での作業となって作業環境が悪く、非常に危険を伴う作業となってしまう。地震等で損傷した杭頭を補修するには、建物をジャッキなどで受けておく必要があるのでコストが嵩むことになる。本発明に係る杭頭部減振キャップは、このような課題を解決するために提案されたものである。
【課題を解決するための手段】
【０００６】
本発明に係る杭頭部減振キャップの上記課題を解決して目的を達成するための要旨は、上部躯体との固定を図る鉄筋を植設した板体と該板体の下に固着される筒体でその上部に圧入用孔が設けられてなる内筒と、前記内筒と嵌合するとともに下部の杭頭に嵌合する筒体であって、充填物抜き用孔を下部位置に設けてなる外筒と、前記内筒の内部に前記圧入用孔から伸縮用部材が注入されて伸縮自在な伸縮部材と、前記内筒と外筒との一部空間部に充填される充填物とからなることである。
また、前記充填物が砂であること、；
更に、前記伸縮部材は、気体若しくは液体が弾性部材で形成された袋体に注入されてなるものであること、若しくは、内筒の内部に直接注入された硬化する液体であること、；
を含むものである。
【発明の効果】
【０００７】
本発明の杭頭部減振キャップによれば、構成が簡易でその組立や分解などが簡単にできる。建物を地震時においては、特に、直下型地震の上下動の振動に対して充填した砂がクッションの作用をして、建物を減振させて防護する。また、地震により杭頭が罹災した時においては、ジャッキを使用することなく、内筒上部の注入口である圧入用孔から気体若しくは硬化する液体を充填させることで、袋体を伸長させてジャッキアップさせたり、外筒の下部において充填砂を孔から抜いてジャッキダウンさせたりして、不陸となった建物を容易に修正できる。また、杭頭処理における作業の安全性が高く、施工性においても杭頭部減振キャップ自体のジャッキアップダウンにより、狭い作業空間であっても能率良くできる。杭頭部減振キャップの製作コストにおいても、部品点数が少なくされており、経済性に優れたものである。
【発明を実施するための最良の形態】
【０００８】
本発明に係る杭頭部減振キャップ１は、図１乃至図２に示すように、建物の基礎である上部躯体との固定を図る鉄筋２を植設した鋼製の板体３と、該板体３の下に固着される鋼製又は合成樹脂製の筒体４でその上部に圧入用孔５が設けられてなる内筒６と、前記内筒６とは寸法的にラフに嵌合するとともに、下部の杭頭１０に嵌合する鋼製又は合成樹脂製の筒体７であって、図３に示すように、充填物抜き用孔８を下部位置に設けてなる外筒９とがある。
【０００９】
前記充填物抜き用孔８には、図３に示すように、ナット８ａが溶接して外筒７に固着される。そして、そのナット８ａに裸着するボルト８ｂによって前記孔８が閉蓋される。前記ボルト８ｂを弛緩して抜くことで、内筒６と外筒９との内部に充填された充填物である砂１４を外に流出させて、圧力を低下させるとともにジャッキのとしての高さを縮長させるものである。
【００１０】
前記杭頭１０には、鋼製のキャップ底板１２に固着された円筒状のキャップ部１１が嵌合されるものである。また、図４に示すように、前記内筒６の内部に設けられるもので、弾性部材、例えば、ゴム製若しくは合成樹脂製で形成されて伸縮自在な伸縮用部材である袋体１３がある。この袋体１３の内部には、流動物として気体若しくは若干の弾性を有して固まる液体等が注入される。その気体若しくは液体の逆流を防止する加圧バルブ１３ａが設けられている。この加圧バルブ１３ａは、前記内筒６の圧入用孔５に挿入される。
【００１１】
前記内筒６の内部には、前記袋体１３を除く空間部に、充填物として均一な粒体若しくは砂１４が充填される。また、外筒９の筒体７にも砂１４が充填される。
【００１２】
本発明に係る杭頭部減振キャップ１の組立方法について説明する。まず、図１に示す内筒上下逆さまにして設置する。次に、外筒９のナット８ａにボルト８ｂを裸着する。前記内筒６に袋体１３を挿入して設置する。圧入用孔５から加圧バルブ１３ａが外部に突出される。
【００１３】
内筒６の内部に砂１４を充填し転圧する。そして、外筒９を前記内筒６に被せる。それらを上下逆さまにして元に戻し、この杭頭部減振キャップ１を所望の杭頭部１０に設置して固定する。なお、この固定には溶接等を施しても良い。
【００１４】
また、他の実施例として、伸縮用部材を形成することにおいて、前記袋体１３を使用しない場合もある。この場合には、内筒６と外筒９とに砂１４を充填した後に、図５（Ａ）に示す状態から、加圧バルブ１３ａから圧力ポンプで直接に液体を注入して充填するものである。この液体は前記充填されている砂１４に若干浸透し（約全体の１０％程度）、若干の弾性を有して固まる。これが、伸縮用部材となる。よって、ジャッキアップさせる時に施工することができる。このようにすれば、前記袋体１３を省略できて部品点数の削減となり、コストダウンとなる。
【００１５】
このように、杭頭部減振キャップ１を構成するが、その使用方法においては、前記杭が新築である場合には、その杭を設置した時に、その杭頭部に固定して設置する。また、建物の修正時においては、既存の杭頭部減振キャップ１に、加圧バルブ１３ａから施工目的にあった気体，液体，ゲル体，硬化材などを圧力ポンプで注入する。これによって、袋体１３が伸長して杭頭部減振キャップ１の高さが高くなる。
【００１６】
また、内筒６の内部に充填した砂１４を、充填物抜き用孔８のボルト８ｂを抜いて、外部に当該砂１４を流出させて、杭頭部減振キャップ１の高さを縮長させ、杭頭部減振キャップ１の交換や杭頭の修正を行う。このほか、既存建物の下に杭を新設する時には、建物の基礎下部に杭を新設して、その頭部に杭頭部減振キャップ１を設置して、建物の防振、耐震の効果を発揮させるものである。
【図面の簡単な説明】
【００１７】
【図１】本発明に係る杭頭部減振キャップ１の内筒６の、正面図（Ａ）、Ａ−Ａ線に沿った断面図（Ｂ）である。
【図２】同本発明の杭頭部減振キャップ１の外筒９の、正面図（Ａ）、Ｂ−Ｂ線に沿った断面図（Ｂ）である。
【図３】同杭頭部減振キャップ１の一部の拡大断面図である。
【図４】同杭頭部減振キャップ１における袋体１３の正面図である。
【図５】同杭頭部減振キャップ１の使用状態における、袋体１３が縮長している状態の断面図（Ａ）と、膨張して伸長した状態の断面図（Ｂ）とである。
【図６】同杭頭部減振キャップ１が角型である場合の斜視図である。
【図７】同杭頭部減振キャップ１が丸型である場合の斜視図である。
【図８】従来例に係る杭頭部の構造を示す説明図である。
【符号の説明】
【００１８】
１          杭頭部減振キャップ、
２          鉄筋、
３          板体、
４          筒体、
５          圧入用孔、
６          内筒、
７          筒体、
８          充填物抜き孔、
８ａ        ナット、
８ｂ        ボルト、
９          外筒、
１０        杭頭、
１１        キャップ部、
１２        キャップ底板、
１３        袋体、
１３ａ      加圧バルブ、
１４        砂、
１５        鉄筋、
１６        杭頭、
１７        基礎部。
【図１】
0004810217.tif 000002
【図２】
0004810217.tif 000003
【図３】
0004810217.tif 000004
【図４】
0004810217.tif 000005
【図５】
0004810217.tif 000006
【図６】
0004810217.tif 000007
【図７】
0004810217.tif 000008
【図８】
0004810217.tif 000009